(57)【要約】【課題】収納性及びホールド性に優れたグリップ部を有するカメラを提供する。【解決手段】グリップ形成部材２４が、カメラボディ１２の正面、又は正面と背面との両面の一部を構成している。そして、撮影時には、このグリップ形成部材２４を隆起させてグリップ部５０を形成する。よって、撮影を行わないカメラの携行時には、グリップ形成部材２４はグリップ部５０を形成せずに、カメラボディ１２と一体となったフラットな面となるので、グリップ部５０がカメラボディ１２から突出して邪魔になることがなく優れた収納性を発揮することができる。また、撮影時には、大きく隆起したグリップ部５０を形成することが可能なので、十分なカメラホールド性を確保することができる。【選択図】図２
2007156250.tif 000002
【特許請求の範囲】
【請求項１】
カメラボディの正面、又は正面と背面との両面の一部を構成し、撮影時に隆起させてグリップ部とするグリップ形成部材を有することを特徴とするカメラ。
【請求項２】
前記グリップ形成部材の隆起動作によって、前記カメラの電源をオンとするスイッチが前記カメラボディに設けられていることを特徴とする請求項１に記載のカメラ。
【請求項３】
前記スイッチが、前記グリップ形成部材の隆起動作を導くガイド部の端部にあり、前記グリップ形成部材の隆起を開始したときにオンとなることを特徴とする請求項２に記載のカメラ。
【請求項４】
前記スイッチが、前記グリップ形成部材の隆起動作を導くガイド部の端部にあり、前記グリップ形成部材の隆起が完了したときにオンとなることを特徴とする請求項２に記載のカメラ。
【請求項５】
前記スイッチが、前記グリップ形成部材の隆起動作を導くガイド部の両端部間にあり、前記グリップ形成部材の隆起途中でオンとなることを特徴とする請求項２に記載のカメラ。
【請求項６】
前記グリップ形成部材が、前記カメラボディとリンクした複数のリンク板材で構成されていることを特徴とする請求項１から請求項５の何れか１項に記載のカメラ。
【請求項７】
前記グリップ形成部材が、前記カメラボディとリンクした複数のリンクフレーム材で構成されていることを特徴とする請求項１から請求項５の何れか１項に記載のカメラ。
【請求項８】
前記カメラボディと異なる色若しくは模様、文字又はマークが、前記リンク板材が隆起したときに露出するカメラボディの面に設けられていることを特徴とする請求項６に記載のカメラ。
【請求項９】
前記カメラを操作するボタン類が、前記リンク板材が隆起したときに露出するカメラボディに設けられていることを特徴とする請求項６に記載のカメラ。
【発明の詳細な説明】
【技術分野】
【０００１】
本発明は、グリップ部を有するカメラに関する。
【背景技術】
【０００２】
携行性を特長とするカメラは、益々、小型化、軽量化されてきているが、これに相反して、操作用ボタンや液晶モニター等の十分な配置スペースを確保することが困難になっている。
【０００３】
カメラのグリップ部も、このような限られた狭い配置スペースに形成しなければならず、また、カメラボディから大きく突出した形状にしてしまうと携行性が損なわれるので、十分なホールド性を有する大きさのグリップ部を設けることは難しい。
【０００４】
従来技術としては、図９に示すような、撮影を行わない携行時には、ヒンジ部１０２によって連結されたカメラボディ１０６Ａ、１０６Ｂが折畳まれた状態となり、撮影時には、カメラボディ１０６Ａ、１０６Ｂが矢印Ｂの向きに展開されるカメラ１００がある（特許文献１）。シャッターボタン１０４を有するカメラボディ１０６Ａには凸状のグリップ部１０８が形成され、撮影レンズ１１０を有するカメラボディ１０６Ｂには凹状のグリップ部１１２が形成さている。そして、折畳まれた状態において、凹状のグリップ部１１２に凸状のグリップ部１０８がはまり込む構造になっている。よって、携行時にグリップ部がカメラ１００の外側に突出しないので邪魔にならない。
【０００５】
しかし、凸状のグリップ部１０８の形状は、凹状のグリップ部１１２に収まる大きさに限られてしまう。すなわち、カメラボディ１０６Ｂの厚さ以上のグリップ部は形成できないので、満足なホールド性が得られる十分な大きさのグリップ部を形成することが困難である。
【０００６】
さらに、カメラボディを２つ折りにした構造なので、カメラ１００を展開した撮影時の状態において十分なカメラボディの剛性が得られにくい。また、カメラボディの剛性を強くするために強固なヒンジ部１０２を設けてしまうと、カメラ１００の小型、軽量性が損なわれてしまう。
【０００７】
また、カメラ１００が折畳まれた状態から撮影を開始するときには、カメラ１００を展開した後に電源を入れるので、撮影の開始までに時間がかかってしまう。よって、瞬時に撮影を行いたいときには、そのシャッターチャンスを逃してしまうことも危惧される。
【特許文献１】特開平１１−１２７３７０号公報
【発明の開示】
【発明が解決しようとする課題】
【０００８】
本発明は係る事実を考慮し、収納性及びホールド性に優れたグリップ部を有するカメラを提供することを課題とする。
【課題を解決するための手段】
【０００９】
請求項１に記載の発明は、カメラボディの正面、又は正面と背面との両面の一部を構成し、撮影時に隆起させてグリップ部とするグリップ形成部材を有することを特徴としている。
【００１０】
請求項１に記載の発明では、グリップ形成部材が、カメラボディの正面、又は正面と背面との両面の一部を構成している。そして、撮影時には、このグリップ形成部材を隆起させてグリップ部を形成する。
【００１１】
よって、撮影を行わないカメラの携行時には、グリップ形成部材はグリップ部を形成せずに、カメラボディと一体となったフラットな面となるので、グリップ部がカメラボディから突出して邪魔になることがなく優れた収納性を発揮することができる。また、撮影時には、大きく隆起したグリップ部を形成することが可能なので、十分なカメラホールド性を確保することができる。
【００１２】
また、グリップ形成部材を隆起させるだけでグリップ部を形成することができるので、瞬時に撮影を開始することができる。
【００１３】
また、従来技術のように２つに折畳まれたカメラボディを展開してグリップ部を形成する構造ではないので、カメラボディ全体の剛性を低下させることはない。
【００１４】
請求項２に記載の発明は、前記グリップ形成部材の隆起動作によって、前記カメラの電源をオンとするスイッチが前記カメラボディに設けられていることを特徴としている。
【００１５】
請求項２に記載の発明では、カメラボディにカメラの電源のスイッチが設けられており、グリップ形成部材の隆起動作によって、このスイッチがオンとなる。
【００１６】
よって、カメラの電源を入れる別の動作が不要になり、より瞬時に撮影を開始することができる。
【００１７】
請求項３に記載の発明は、前記スイッチが、前記グリップ形成部材の隆起動作を導くガイド部の端部にあり、前記グリップ形成部材の隆起を開始したときにオンとなることを特徴としている。
【００１８】
請求項３に記載の発明では、グリップ形成部材の隆起動作を導くガイド部の端部にカメラの電源のスイッチがあり、グリップ形成部材の隆起を開始したときに、このスイッチがオンとなる。
【００１９】
よって、より早いタイミングでカメラの電源を入れることができる。
【００２０】
請求項４に記載の発明は、前記スイッチが、前記グリップ形成部材の隆起動作を導くガイド部の端部にあり、前記グリップ形成部材の隆起が完了したときにオンとなることを特徴としている。
【００２１】
請求項４に記載の発明では、グリップ形成部材の隆起動作を導くガイド部の端部にカメラの電源のスイッチがあり、グリップ形成部材の隆起が完了したときに、このスイッチがオンとなる。
【００２２】
よって、グリップ部が完全に形成された時点でカメラの電源が入るので、カメラホールドが不十分な状態での撮影を防ぐことができる。
【００２３】
請求項５に記載の発明は、前記スイッチが、前記グリップ形成部材の隆起動作を導くガイド部の両端部間にあり、前記グリップ形成部材の隆起途中でオンとなることを特徴としている。
【００２４】
請求項５に記載の発明では、グリップ形成部材の隆起動作を導くガイド部の両端部間にカメラの電源のスイッチがあり、グリップ形成部材の隆起途中で、このスイッチがオンとなる。
【００２５】
よって、カメラの電源のスイッチの位置を変えることによって、カメラの電源の入るタイミングを調整することができる。
【００２６】
請求項６に記載の発明は、前記グリップ形成部材が、前記カメラボディとリンクした複数のリンク板材で構成されていることを特徴としている。
【００２７】
請求項６に記載の発明では、グリップ形成部材が、複数のリンク板材で構成されている。そして、このリンク板材がカメラボディとリンクしている。
【００２８】
よって、カメラボディとリンクしたリンク板材を起立させ、隆起させるだけで、グリップ部を形成することができる。
【００２９】
請求項７に記載の発明は、前記グリップ形成部材が、前記カメラボディとリンクした複数のリンクフレーム材で構成されていることを特徴としている。
【００３０】
請求項７に記載の発明では、グリップ形成部材が、複数のリンクフレーム材で構成されている。そして、このリンクフレーム材がカメラボディとリンクしている。
【００３１】
よって、リンクフレーム材の間に指を入れることができるため指の掛かりがよくカメラホールド性をさらに向上させることができる。
【００３２】
請求項８に記載の発明は、前記カメラボディと異なる色若しくは模様、文字又はマークが、前記リンク板材が隆起したときに露出するカメラボディの面に設けられていることを特徴としている。
【００３３】
請求項８に記載の発明では、リンク板材が隆起したときに露出するカメラボディの面をカメラボディと異なる色や模様としたり、この面に文字やマークを設けることによって、簡易な方法でカメラの電源のオン又はオフ状態を把握することができる。また、電力や特別な装置を必要としないので、低コスト化が図れる。
【００３４】
請求項９に記載の発明は、前記カメラを操作するボタン類が、前記リンク板材が隆起したときに露出するカメラボディに設けられていることを特徴としている。
【００３５】
請求項９に記載の発明では、リンク板材が隆起したときに露出するカメラボディの面に、カメラを操作するボタン類が設けられている。
【００３６】
よって、カメラボディのスペースを有効に使い、カメラを操作するボタン類の十分なスペースを確保できる。
【００３７】
また、隆起前のリンク板材によって、カメラを操作するボタン類が保護される。
【発明の効果】
【００３８】
本発明は上記構成としたので、カメラのグリップ部の優れた収納性及びホールド性を得ることができる。
【発明を実施するための最良の形態】
【００３９】
図面を参照しながら、デジタルカメラに本発明を適用した例を説明する。なお、本発明は、デジタルカメラに限らずに、フイルムカメラ、デジタルビデオカメラ、アナログビデオカメラ等のあらゆるカメラへの適用が可能であり、特に小型化されたカメラに適している。
【００４０】
まず、本発明の第１の実施形態に係るデジタルカメラ１０について説明する。図１〜３には、本実施形態のデジタルカメラ１０が示されている。
【００４１】
カメラ携行時の状態の図１に示されるように、デジタルカメラ１０のカメラボディ１２の正面右側には沈胴式ズームレンズ１４が設けられており、その上方には、ストロボライト１６と光学式ファインダー窓１８が左右に並んで配置されている。また、カメラボディ１２の上面左側には、シャッターボタン２０が設けられ、その右隣には、後述するグリップ形成部材２４の隆起とは無関係にデジタルカメラ１０の電源のオン又はオフを強制的に行うことができる電源ボタン２２が備えられている。
【００４２】
カメラボディ１２の正面左側には、グリップ形成部材２４が設けられている。グリップ形成部材２４は、リンク部２６によって連結された２枚の板材２８Ａ、２８Ｂで構成されている。リンク部２６は、板材２８Ｂに設けられた凹部２６Ａに板材２８Ａから突出する突出部２６Ｂが係合し、ピン２３で回転自在に連結された構造になっている。板材２８Ｂの上面には、指を引っ掛けることができる大きさの凹溝３０が形成されている。また、板材２８Ａの左端部付近を上下方向に貫通し、板材２８Ａの上下端部から突出するように軸部材３２が設けられ、同じように、板材２８Ｂの右端部付近を上下方向に貫通し、板材２８Ｂの上下端部から突出するように軸部材３４が設けられている。
【００４３】
カメラ撮影時の状態の図２に示すように、カメラ携行時の状態の板材２８Ａ、２８Ｂの裏面と面するカメラボディ１２には、この板材２８Ａ、２８Ｂが収まる凹部３６が形成されている。板材２８Ａ、２８Ｂは、その上面がカメラボディ１２から突出することなく凹部３６に収められるので、カメラ携行時において、カメラボディ１２と一体となったフラットな面を形成する。
【００４４】
凹部３６の上縁部３８Ａの左端部付近には係合孔４０が形成され、この係合孔４０に板材２８Ａの上端部から突出した軸部材３２の突出軸部３２Ａが回転自在に係合されている。また、図１、２のＡ−Ａ断面図を示した図３のように、凹部３６の上縁部３８Ａの右端部から略中央部に渡って、レール溝４２が形成されている。そして、このレール溝４２に板材２８Ｂの上端部から突出した軸部材３４の突出軸部３４Ａが回転自在かつスライド可能に係合されている。レール溝４２の溝幅は、突出軸部３４Ａが回転自在かつスライド可能となるように、突出軸部３４Ａの軸径よりも少し大きくなっている。また、レール溝４２の両端部付近には、可撓性のプラスチック材からなるストッパー部材４４、４５がレール溝４２の幅方向の両側に設けられている。突出軸部３４Ａがレール溝４２の端部に位置するときに、レール溝４２の端部とこのストッパー部材４４又は４５とが、突出軸部３４Ａを挟み込んで、突出軸部３４Ａをレール溝４２の端部にロックすることができる。
【００４５】
そして、これらの係合孔４０、レール溝４２及びストッパー部材４４、４５は、凹部３６の下縁部３８Ｂにも同じように設けられている。
【００４６】
図３（Ｂ）に示すように、レール溝４２の右端部には、デジタルカメラ１０の電源のオン又はオフを行う接触式のスイッチ４８が設けられている。このスイッチ４８は、突出軸部３４Ａが接触しているときにはデジタルカメラ１０の電源を常にオフとし、突出軸部３４Ａが接触していないときにはデジタルカメラ１０の電源を常にオンとするものである。
【００４７】
次に、本発明の第１の実施形態に係るデジタルカメラ１０の作用及び効果について説明する。
【００４８】
図３（Ａ）に示すように、デジタルカメラ１０の携行時において、板材２８Ａ、２８Ｂはフラットな状態であり、突出軸部３４Ａはレール溝４２の右端部にストッパー部材４４によってロックされている。また、このとき突出軸部３４Ａはスイッチ４８に接触し、デジタルカメラ１０の電源はオフとなっている。
【００４９】
次に、図３（Ｂ）に示すように、指を板材２８Ｂの凹溝３０に引っ掛け、レール溝４２に沿って突出軸部３４Ａ、３４Ｂを矢印Ａの方向に、少し強めの力を加えてスライドさせると、ストッパー部材４４は撓み、レール溝４２の右端部のロック状態から突出軸部３４Ａ、３４Ｂが離脱する。このとき、スイッチ４８から突出軸部３４Ａが離れ、デジタルカメラ１０の電源はオンとなる。
【００５０】
そして、突出軸部３４Ａ、３４Ｂを矢印Ａの方向にさらにスライドさせると、板材２８Ａ、２８Ｂは、リンク部２６を頂点として競り上がるように起立し、隆起する。
【００５１】
さらに、スライドを続けると、突出軸部３４Ａ、３４Ｂは、レール溝４２に設けられたストッパー部材４５に当たる。このとき、少し強めの力を再び加えると、ストッパー部材４５は撓み、突出軸部３４Ａ、３４Ｂをレール溝４２の左端部に導き入れて、レール溝４２の左端部とストッパー部材４５とが突出軸部３４Ａ、３４Ｂを挟み込んでロックする。そして、図３（Ｃ）のような隆起したグリップ部５０が形成される。デジタルカメラ１０をホールドするときには、主に矢印Ａの方向の力しか作用しないので、それほど強固なストッパー部材４５にしなくてもよい。
【００５２】
また、撮影が終了し、再びグリップ部５０を収納する際には、リンク部２６を指でカメラボディ１２側に少し強めに押し、レール溝４２の左端部のロック状態から突出軸部３４Ａ、３４Ｂを離脱させ、矢印Ａの逆方向に突出軸部３４Ａ、３４Ｂをスライドさせる。そして、レール溝４２の右端部に突出軸部３４Ａ、３４Ｂがロックされたときに、突出軸部３４Ａがスイッチ４８に接触して、デジタルカメラ１０の電源はオフとなる。
【００５３】
また、電源ボタン２２を用いれば、グリップ形成部材２４の隆起と無関係に、強制的にデジタルカメラ１０の電源をオン又はオフとすることが可能なので、グリップ部５０を形成せずに撮影をしたり、グリップ部５０を形成したままでデジタルカメラ１０の電源をオフとして携行することもできる。
【００５４】
このように本実施形態では、撮影を行わないデジタルカメラ１０の携行時には、板材２８Ａ、２８Ｂはグリップ部５０を形成せずにカメラボディ１２と一体となったフラットな面となるので、グリップ部５０がカメラボディ１２から突出して邪魔になることがなく優れた収納性を発揮することができる。また、撮影時には、大きく隆起したグリップ部５０を形成することが可能なので、十分なカメラホールド性を確保することができる。
【００５５】
また、板材２８Ａ、２８Ｂを起立させ、隆起させるだけでグリップ部５０を形成することができ、隆起開始と同時のより早いタイミングでデジタルカメラ１０の電源が自動的に入るので、瞬時に撮影を開始することができる。
【００５６】
また、従来技術のように２つに折畳まれたカメラボディを展開してグリップ部を形成する構造ではないので、カメラボディ１２全体の剛性を低下させることはない。
【００５７】
本実施形態における板材２８Ａ、２８Ｂの大きさやレール溝４２の長さは、必要なグリップ部５０の大きさに応じて適宜決めればよい。また、板材の数は２枚に限らず、３枚以上の板材でグリップ形成部材２４を構成してもよいし、それぞれの板材を異なった大きさにしてもよい。また、板材２８Ａ、２８Ｂの表面を荒くしたり、凹みを形成したり、ゴム等を貼り付けてもよく、これによって、カメラホールド性をさらに向上させることができる。
【００５８】
また、グリップ形成部材２４は、デジタルカメラ１０の正面と背面の両方に設けてもよいし、デジタルカメラ１０の正面左側から右側へ突出軸部３２Ａ、３２Ｂをスライドさせて板材２８Ａ、２８Ｂを隆起するようにしてもよい。
【００５９】
また、ストッパー部材４４、４５は、突出軸部３４Ａ、３４Ｂをロックでき、指の力で撓む可撓性材料であればよく、ゴム材等を用いてもよい。
【００６０】
また、スイッチ４８は、突出軸部３４Ａがレール溝４２の端部に位置したときに、デジタルカメラ１０の電源のオンまたはオフを行えるものであればよい。
【００６１】
次に、本発明の第２の実施形態に係るデジタルカメラ５２について説明する。
【００６２】
第２の実施形態は、第１の実施形態のスイッチ４８の位置を変えたものである。したがって、以下の説明において、第１の実施形態と同じ構成のものは、同符号を付すると共に、適宜省略して説明する。
【００６３】
本実施の形態では、図４に示すように、図１のデジタルカメラ１０のＡ−Ａ断面図において、デジタルカメラ５２の電源のオン又はオフを行う接触式のスイッチ４９が、レール溝４２の左端部に設けられている。このスイッチ４９は、突出軸部３４Ａが接触しているときにはデジタルカメラ１０の電源を常にオンとし、突出軸部３４Ａが接触していないときにはデジタルカメラ１０の電源を常にオフとするものである。
【００６４】
次に、本発明の第２の実施形態に係るデジタルカメラ５２の作用及び効果について説明する。
【００６５】
図４（Ａ）に示すように、デジタルカメラ５２の携帯時において、板材２８Ａ、２８Ｂはフラットな状態であり、突出軸部３４Ａは、レール溝４２の右端部にロックされている。また、このとき突出軸部３４Ａは、スイッチ４９に接触しないので、デジタルカメラ５２の電源はオフとなっている。
【００６６】
次に、図４（Ｂ）に示すように、指を板材２８Ｂの凹溝３０に引っ掛け、レール溝４２に沿って突出軸部３４Ａ、３４Ｂを矢印Ａの方向に、少し強めの力を加えてスライドさせると、ストッパー部材４４は撓み、レール溝４２の右端部のロック状態から突出軸部３４Ａ、３４Ｂが離脱する。
【００６７】
そして、突出軸部３４Ａ、３４Ｂを矢印Ａの方向にさらにスライドさせると、板材２８Ａ、２８Ｂは、リンク部２６を頂点として競り上がるように起立し、隆起する。
さらに、スライドを続けると、突出軸部３４Ａ、３４Ｂは、レール溝４２に設けられたストッパー部材４５に当たる。このとき、少し強めの力を再び加えると、ストッパー部材４５は撓み、突出軸部３４Ａ、３４Ｂをレール溝４２の左端部に導き入れてレール溝４２の左端部とストッパー部材４５とが突出軸部３４Ａ、３４Ｂを挟み込んでロックする。そして、図４（Ｃ）のような隆起したグリップ部５０が形成される。このとき突出軸部３４Ａがスイッチ４９に接触し、デジタルカメラ５２の電源はオンとなる。
【００６８】
また、撮影が終了し、再びグリップ部５０を収納する際には、リンク部２６を指でカメラボディ１２側に少し強めに押し、レール溝４２の左端部のロック状態から突出軸部３４Ａ、３４Ｂを離脱させるとデジタルカメラ５２の電源はオフとなる。そして、矢印Ａの逆方向に突出軸部３４Ａ、３４Ｂをスライドさせ、レール溝４２の右端部に突出軸部３４Ａ、３４Ｂをロックする。
【００６９】
このように本実施形態では、第１の実施形態と同様の効果が得られ、また、グリップ部５０が完全に形成された時点でデジタルカメラ５２の電源が入るので、カメラホールドが不十分な状態での撮影を防ぐことができる。
【００７０】
次に、本発明の第３の実施形態に係るデジタルカメラ５４について説明する。
【００７１】
第３の実施形態は、第１の実施形態のスイッチ４８の種類及び位置を変えたものである。したがって、以下の説明において、第１の実施形態と同じ構成のものは、同符号を付すると共に、適宜省略して説明する。
【００７２】
本実施の形態では、図５に示すように、図１のデジタルカメラ１０のＡ−Ａ断面図において、デジタルカメラ５４の電源のオン又はオフを行う可倒及び自動復帰式のスイッチ５６が、レール溝４２の中央左寄りの位置に設けられている。
【００７３】
このスイッチ５６のレバー５８に突出軸部３４Ａが接触するまで、デジタルカメラ５４の電源はオフとなっている。そして、突出軸部３４Ａがスイッチ５６のレバー５８に接触し、レバー５８が倒されるとデジタルカメラ５４の電源はオンとなる。突出軸部３４Ａがスイッチ５６を完全に通過するとレバー５８は倒れる前の状態に戻るが、デジタルカメラ５４の電源はオン状態を維持する。次に、突出軸部３４Ａがスイッチ５６のレバー５８に接触し、レバー５８が倒されるとデジタルカメラ５４の電源はオフとなり、このオフ状態を維持する。そして、この後、突出軸部３４Ａがレバー５８に接触する度に、オン、オフの動作を交互に繰り返す。
【００７４】
次に、本発明の第３の実施形態に係るデジタルカメラ５４の作用及び効果について説明する。
【００７５】
図５（Ａ）に示すように、デジタルカメラ５４の携行時において、板材２８Ａ、２８Ｂはフラットな状態であり、突出軸部３４Ａは、レール溝４２の右端部にロックされている。
また、このとき突出軸部３４Ａは、スイッチ５６のレバー５８に接触しないので、デジタルカメラ５４の電源はオフとなっている。
【００７６】
次に、図４（Ｂ）に示すように、指を板材２８Ｂの凹溝３０に引っ掛け、レール溝４２に沿って突出軸部３４Ａ、３４Ｂを矢印Ａの方向に、少し強めに力を加えてスライドさせると、ストッパー部材４４は撓み、レール溝４２の右端部のロック状態から突出軸部３４Ａ、３４Ｂが離脱する。
【００７７】
そして、突出軸部３４Ａ、３４Ｂを矢印Ａの方向にさらにスライドさせると、スライド板材２８Ａ、２８Ｂは、リンク部２６を頂点として競り上がるように起立し、隆起する。
【００７８】
スライドの途中で、突出軸部３４Ａがスイッチ５６を通過するときに、突出軸部３４Ａがスイッチ５６のレバー５８を倒し、デジタルカメラ５４の電源はオンとなる。さらに、スライドを続けると、突出軸部３４Ａ、３４Ｂは、レール溝４２に設けられたストッパー部材４５に当たる。このとき、少し強めの力を再び加えると、ストッパー部材４５は撓み、突出軸部３４Ａ、３４Ｂをレール溝４２の左端部に導き入れてレール溝４２の左端部とストッパー部材４５とが突出軸部３４Ａ、３４Ｂを挟み込んでロックする。そして、図５（Ｃ）のような隆起したグリップ部５０が形成される。
【００７９】
また、撮影が終了し、再びグリップ部５０を収納する際には、リンク部２６を指でカメラボディ１２側に少し強めに押し、レール溝４２の左端部のロック状態から突出軸部３４Ａ、３４Ｂを離脱させ、矢印Ａの逆方向に突出軸部３４Ａ、３４Ｂをスライドさせる。スライドの途中で、突出軸部３４Ａがスイッチ５６を通過するときに、元の状態に戻ったレバー５８を突出軸部３４Ａが再び倒し、デジタルカメラ５４の電源はオフとなる。そして、さらにスライドを続け、レール溝４２の右端部に突出軸部３４Ａ、３４Ｂがロックされる。
【００８０】
このように本実施形態では、第１の実施形態と同様の効果が得られ、また、スイッチ５６の位置を変えることによって、デジタルカメラ５４の電源の入るタイミングを調整することができる。
【００８１】
次に、本発明の第４の実施形態に係るデジタルカメラ６０について説明する。
【００８２】
第４の実施形態は、第１の実施形態の板材２８Ａ、２８Ｂをフレーム材６２Ａ、６２Ｂに変えたものである。したがって、以下の説明において、第１の実施形態と同じ構成のものは、同符号を付すると共に、適宜省略して説明する。
【００８３】
本実施の形態では、図６に示すように、カメラボディ１２の正面左側には、グリップ形成部材６４が設けられている。グリップ形成部材６４は、リンク部６６によって連結された２つのフレーム材６２Ａ、６２Ｂで構成されている。リンク部６６は、フレーム材６２Ｂに設けられた凹部６６Ａにフレーム材６２Ａから突出する突出部６６Ｂが係合し、ピン６５で回転自在に連結された構造になっている。また、フレーム材６２Ａの左端部付近を上下方向に貫通し、フレーム材６２Ａの上下端部から突出するように軸部材３２が設けられ、同じように、フレーム材６２Ｂの右端部付近を上下方向に貫通し、フレーム材６２Ｂの上下端部から突出するように軸部材３４が設けられている。
【００８４】
次に、本発明の第４の実施形態に係るデジタルカメラ６０の作用及び効果について説明する。
【００８５】
本実施形態では、第１の実施形態と同様の作用及び効果が得られ、また、フレーム材６２Ａ、６２Ｂの間に指を入れることができるため指の掛かりがよく、グリップ部６８のホールド性をさらに向上させることができる。また、フレーム材６２Ａ、６２Ｂを起立させ、隆起させるために、第１の実施形態の板材２８Ｂのように指を引っ掛ける凹溝３０を設ける必要がない。
【００８６】
次に、本発明の第５の実施形態に係るデジタルカメラ７０とその作用及び効果について説明する。
【００８７】
第５の実施形態は、第１の実施形態の板材２８Ａ、２８Ｂが隆起したときに露出する凹部３６がカメラボディ１２と異なる模様７２になっている。したがって、以下の説明において、第１の実施形態と同じ構成のものは、同符号を付すると共に、適宜省略して説明する。
【００８８】
本実施形態では、図７に示すように、板材２８Ａ、２８Ｂが隆起したときに露出する凹部３６がカメラボディと異なる模様７２になっているが、模様７２に限らずに、カメラボディと異なる色、文字又はマークでもよい。
【００８９】
これにより、簡易な方法でデジタルカメラ７０の電源のオン又はオフ状態を把握することができる。また、電力や特別な装置を必要としないので、低コスト化が図れる。
【００９０】
次に、本発明の第６の実施形態に係るデジタルカメラ７４とその作用及び効果について説明する。
【００９１】
第６の実施形態は、第１の実施形態のデジタルカメラ１０の背面にグリップ形成部材２４が設けられたものである。したがって、以下の説明において、第１の実施形態と同じ構成のものは、同符号を付すると共に、適宜省略して説明する。
【００９２】
本実施形態では、図８に示すように、デジタルカメラ７４の背面左側には、撮影スルー画や再生画等が表示されるモニター７８が配置され、その右側にグリップ形成部材２４が設けられている。そして、グリップ形成部材２４を構成する板材２８Ａ、２８Ｂが隆起したときに露出する凹部３６にデジタルカメラ７４を操作するボタン類７６が設けられている。
【００９３】
これにより、カメラボディ１２の背面スペースを有効に使い、デジタルカメラ７４を操作するボタン類７６の十分なスペースを確保できる。また、隆起前の板材２８Ａ、２８Ｂによって、ボタン類７６が保護される。
【図面の簡単な説明】
【００９４】
【図１】本発明の第１の実施形態に係るカメラを示す斜視図である。
【図２】本発明の第１の実施形態に係るカメラを示す斜視図である。
【図３】本発明の第１の実施形態に係るカメラの作用を示す断面図である。
【図４】本発明の第２の実施形態に係るカメラの作用を示す断面図である。
【図５】本発明の第３の実施形態に係るカメラの作用を示す断面図である。
【図６】本発明の第４の実施形態に係るカメラを示す斜視図である。
【図７】本発明の第５の実施形態に係るカメラを示す斜視図である。
【図８】本発明の第６の実施形態に係るカメラを示す斜視図である。
【図９】従来のカメラを示す説明図である。
【符号の説明】
【００９５】
１０    デジタルカメラ（カメラ）
１２    カメラボディ
２４    グリップ形成部材
２８    板材（リンク板材）
４２    レール溝（ガイド部）
４８    スイッチ
４９    スイッチ
５０    グリップ部
５２    デジタルカメラ（カメラ）
５４    デジタルカメラ（カメラ）
５６    スイッチ
６０    デジタルカメラ（カメラ）
６２    フレーム材（リンクフレーム材）
６４    グリップ形成部材
６８    グリップ部
７０    デジタルカメラ（カメラ）
７２    模様
７４    デジタルカメラ（カメラ）
７６    ボタン類
【図１】
2007156250.tif 000003
【図２】
2007156250.tif 000004
【図３】
2007156250.tif 000005
【図４】
2007156250.tif 000006
【図５】
2007156250.tif 000007
【図６】
2007156250.tif 000008
【図７】
2007156250.tif 000009
【図８】
2007156250.tif 000010
【図９】
2007156250.tif 000011